(57)【要約】［課題］  無重力の宇宙空間に於て広大な平面板を製造すること、その製造装置を提供すること、は難事と推定された。時に、広大な平面板である基地系を高速で大量に製造して極めて多数個の基地系が極めて広大な平面状に配列された基地系集団を構成することはさらに難事と推定され、防護装置は初期の目標を達成して推定効果を達成するには製造装置が不可欠であった。［解決手段］  防護装置の製造装置は、小惑星帯に点在する適大の鉄隕石を運搬する運搬装置と、該鉄隕石を融解・かくはん・分配する材供装置と、該鉄隕石を製板・製枠する加工装置と、製板された多数個の帯鋼板の両側縁を自動溶接し縦枠・横枠を自動溶接した幅広帯状の基地板を自動伸展し略矩形に自動切断する伸展装置と、組立台に移送後の基地板に組立部材を自動組立する組立装置と、該運搬装置の各々の体を制御する電子計算機群によって成る運搬ネットワーク・該製作系の各装置の各機を制御する電子計算機群によって成る製作ネットワーク、等が連携して構成された制御装置と、を具備して構成される。【選択図】図５
2005170359.tif 000002
【特許請求の範囲】
【請求項１】
小惑星帯に点在する適大の鉄隕石を運搬する推力・比推が大きいロケットを含む運搬装置と、該鉄隕石を支承する支承機、該鉄隕石を融解する融解機、融解された該鉄隕石をかくはんするかくはん機、かくはんされた該鉄隕石を分配する分配機等を含む材供装置と、  融解・かくはんされた該鉄隕石を複数組の製板ロールで導板状に圧延するよう多数個が並設された製板機、該製板機の適所に配備され補強用の縦枠を製作する縦枠機、該製板機の並設方向に直角に配備され補強用の横枠を製作する横枠機、等を含む加工装置と、  該加工装置によって製作された多数個の帯鋼板をその隣接する重合縁を自動溶接する板溶接機、該帯鋼板・該縦枠・該横枠を自動溶接する枠溶接機、該帯鋼板・該縦枠・該横枠で構成される幅広帯状の基地板を自動伸展する伸展機、該基地板を略矩形に自動切断する切断機、それらの各機を装備し基地縁に該加工装置を付設した略矩形の伸展台を含む伸展装置と、該伸展台の自由端縁または側端縁、に付設され移送後の該基地板に組立部材を自動組立する部材組立機等を装備し組立完了した基地系を該推進体によって自動で巣立飛行させる組立台等を含む組立装置と、該運搬装置の各々の体を制御する電子計算機群によって成る運搬ネットワーク、該材供装置・該加工装置・該伸展装置・該組立装置等の各々の各機を制御する材供計算機・加工計算機・伸展計算機・組立計算機等によって成る製作ネットワークと、地球管制体の大型電子計算機を含んで成る地球ネットワークと、で構成され各ネットワークの自動制御または該大型電子計算機の指令制御によって全自動または必要により手動制御で制御可能に構成された制御装置と、を具備して構成された防護装置の製造装置。
【請求項２】
前記材供装置は、前記運搬装置の状態や前記鉄隕石の状態等を観測する観測機と、該観測機からの信号や映像を分析し該運搬装置によって捕獲されている該鉄隕石を自動的に移設する移設機と、該移設機によって移設された鉄隕石を自動的に支承する支承機と、を具備した請求項１に記載の防護装置の製造装置。
【請求項３】
前記材供装置は、略凹面鏡状の凝集鏡等による太陽光の凝集光熱によって融解するよう前記加工装置に連設された融解機を具備した請求項１に記載の防護装置の製造装置。
【請求項４】
前記材供装置は、略長樋凹面鏡状の長凝集鏡で、細長に凝集された凝集光熱で太陽光の陰に相当する陰外周面に補助熱を供給する略筒状の前記かくはん機・前記分配機を具備した請求項１に記載の防護装置の製造装置。
【請求項５】
前記加工装置は、前記基地板を構成する帯鋼板の（両）側縁が溶接用に一定の重合幅を重ね合って伸展されるように該基地板の表側・裏側に交互に相対向して前記製板機が多数個一定間隔で配備されたを具備した請求項１に記載の防護装置の製造装置。
【請求項６】
前記製作系の加工装置は、前記製板機の適当な間隔をおいて表（裏）側に相対向した裏（表）側に配備され縦補強枠を前記帯鋼板に溶接するべく配備された複数個の縦枠機と、前記製板機や該縦枠機と略直角方向に配備され前記帯鋼板に全横幅で適当な間隔で溶接されるべく伸長して製枠される横枠機と、具備した請求項１に記載の防護装置の製造装置。
【請求項７】
前記製作系の加工装置は、製板用の複数組の製板ロールを内部に装備し地球からロケットで打上られる略直方体の製板外凾を含む多数個の製板機と、該製板機の製板外凾が多数個一定間隔で表側・裏側に配備され、前記横枠機によって製枠された適厚の厚横枠によって連設される複数個の連設枠と、を具備した請求項１に記載の防護装置の製造装置。
【請求項８】
前記製作系の伸展装置・組立装置は、前記製板機・縦枠機・横枠機によって適度に相当な厚さは製作された相当な強度の略基地板状の前記伸展台・前記組立台を具備した請求項１に記載の防護装置の製造装置。
【請求項９】
前記製作系の組立装置は、多数個の推進体・連接体を規測正しく全自動組立するよう装備された推進組立機・連接組立機と、該推進体・連接体及び推進組立機・連接組立機を収容し前記組立台の両側縁の両端近傍に自動的に交換して着脱しうる着脱機を装備し地球からロケットで打上げられる組立外凾と、を具備した請求項１に記載の防護装置の製造装置。
【請求項１０】
前記製作系の組立装置は、前記基地系の横枠または縦枠をレールとしてそれらで囲まれる基地板の片面を鏡面仕上して反射基地系を製作するべく自動運転・自動移動しうる、羽毛研摩状の研摩機を、規測正しく自動組立する研摩組立機と、該研摩機・該研摩組立機を収容し前記組立台の適所に自動的に交換して着脱しうる着脱機を装備し地球からロケットで打上げられる組立外凾と、を具備した請求項１に記載の防護装置の製造装置。
【請求項１１】
小惑星帯に点在する鉄隕石を運搬装置で運搬する運搬段階と、該鉄隕石を移設して支承し融解して前記、材料供給装置によって融解・かくはんされた鉄材料を全自動で供給する供給段階と、供給された該鉄材料を前記加工装置によって全自動で製板・製枠等の加工をする加工段階と、加工された帯鋼板に補強枠を付設して成る基地板を伸展装置によって伸展する伸展段階と、該基地板に組立部材を組立装置によって全自動で組立し巣立飛行する組立段階と、を具備した製作系の制作方法を有する製造装置の製造方法。
【請求項１２】
前記基地系の片面に前記研摩機で自動研摩し反射基地系を製作する反射製作段階と、研摩中の該基地系、研摩終了後の反射基地系、研摩なしの基地系を含んで地球に太陽光陰影部を投影する投影段階と、該反射基地系のみによって地球の寒冷地や地球の寒期や火星等に太陽反射光を照射する照射段階と、を具備した製作系等の使用方法を有する製造装置の製造方法。
【発明の詳細な説明】
【発明の詳細な説明】
［発明の属する技術分野］  本発明は防護装置の製造装置とその製造方法に関し、より詳しくは防護装置（特許第２９０６１６５）の主要構成である基地系等を多数個連続的に効率よく製造する装置と方法を創出し、基地系集団等を未来に於いて構成する一手段を図るものである。［従来の技術］  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の奇跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの��、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熱成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資��等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。  本発明の第１の目的は、防護装置（特許第２９０６１６５号）の主要構成である基地系等を多数個連続的に効率よく製造する装置と方法を創出し、基地系集団等を未来に於いて構成する一手段の提供を図ることである。［発明の実施の形態］  次に、製造装置である製作系ＫＵ、製作系集団ＫＷ、の一実施例を図面を参照にして説明する。製作系ＫＵ、製作系集団ＫＷは、基地系集団Ｗを構成分子である基地系Ｕ、反射基地系集団ＧＷを構成分子である反射基地系ＧＵを大量生産するために宇宙空間に配備された宇宙工場である。この宇宙工場がある製作系集団の大略の構成からまず説明し、各体の説明を行う。  第  図（ａ）は製作系ＫＵの一実施例を示す側面図、（ｂ）はその平面図を示し、第  図（ａ）は製作系集団ＫＷの一実施例を示す平面図、（ｂ）はその端面図を示す。2005170359.tif 000003側面を順次結合して、相当に広い面積を有する基地系Ｕや反射基地系ＧＵを、極めて能率的に一挙に製作するように構成されたもので、大量生産用に構成2005170359.tif 000004製作体ブロックＫＢは、製作エネルギー体Ｋ２、材料体Ｋ３、製練体Ｋ４、製造体Ｋ５、組立体Ｋ６、製作推進体ＫＣ、製作系本体ＫＶ等のことを示す。これらは、地球上で、高精度、高耐久性、を有しかつ半自動的に製造されたされた各体をその各々を可能な限り、例えば四角筒状の大型のロケット外殻筒に収容される。ロケット外殻筒はその外周面に燃料筒を付して地球上から打上げられる。そし��、宇宙空間に於て、これらの四角筒状のロケット外殻筒を側面を密接して連結され、製作体ブロックＫＢが組立られる。ロケット外殻筒はなるべく四角筒状に形成される方がよい。複数の各体はその側面が安定的に密接して連結され易く、かつ密接された側面に於て、各体の内部を互いに連結するための連絡口が必要な限り大きく設けられ易いからである。また、四角形の外殻筒であれば、打上げ時の空気抵抗に余程の支障がなければ打上げ用の燃料筒も仮結合され易い。この仮結合のための結合部を互いに当接して側面同士が密封して連結される。この結合部は連結作業が宇宙に於て作業に手間とらず迅速かつ確実に行われるよう配慮して設けられる。このロケット外殻筒の１個に収納しきれない体は複数個に分別して収納され、隣接する連絡口を開いて１つの体を構成する。製作体ブロックＫＢ，横製作体ブロックＫＢ′は製作に重要な機械類電子計算機類がロケット外殻筒に収納されて
【図１１】
いれば高速度で激突することのある極小の隕石や宇宙塵に対して、これを保護する必要がある。2005170359.tif 000005
2005170359.tif 000006し、かつ同じく縦方向に遮光板Ｅ１や反射板Ｇ１等の縦板材を製造して伸展する、製作体ブロックＫＢと、横方向（基地系集団Ｗの運行方向に直角方向）に横枠材を製造して伸展する横製作体ブロックＫＢ′と、を有し、両者は互いに直角方向に向けて設けられている。縦枠材や横枠材とは例えば、連結枠Ｉ１、傾動枠Ｉ２、補強枠Ｉ３、及び中継枠Ｉ４等の枠材を示し、これらによって、基地系Ｕや反射基地系ＧＵの骨格が構成されるものである。製作体ブロックＫＢと、横製作体ＫＢ′とが、互いに直角方向に向けて設けられたのは、長さが非常に長い２種類のこれらの枠材が製枠された方向のまま向きを変更する時間や労力を省いて互いに直角方向に重ねて組立てられるためである。そして、これらの長い双方の枠材の直交部を直ちにスポット溶接で固着して、全体的に碁板目状の骨格が即座に極めて能率的に構成されるためである。製作体ブロックＫＢ、横製作体ブロックＫＢ′は前記のように共に地球から打上げられて互い直角方向に連結され、これらに小惑星Ｋ，Ｋ，Ｋ……が仮に取付られて運行を行いつつ基台Ｋ１が宇宙空間に於て、まず最初に製作される。１個の製作系ＫＵの基台Ｋ１だけでも相当の長さ（広さ）及び重量があるので、地球から資材を打上げて運搬して組立てるのでは経費が相当、巨額にならざるを得ない。そこで、高精度，高耐久性，を有し高度の製作技術を要する上記の製作体ブロックＫＢ，横製作体ブロックＫＢ′，（凹面鏡も含む）最小限度地球上で製造し、これらを地球上から打上げて運搬され連結される。これに対して、面積及び重量が共に大きい基台Ｋ１は宇宙空間に於て製作し、製作後、クレーンやワイヤで製作ブロックＫＢ及び横製作ブロックＫＢ′と、基台Ｋ１との相互の位置を必要なだけ徐々に移動して、両者を定位置に固設するものとする。基台Ｋ１の製作手順、組立、構造は基地系Ｕの製作と略同様であるから、後記の基地系Ｕの製作の説明を参考にすることとして、ここでは省略する。製作系集団ＫＷの基台Ｋ１が基地系Ｕと略同様ということは、基台Ｋ１は基地系Ｕと同じ方法で一挙に製作されることを意味する。材料資源はすでに小惑星Ｋ，：Ｋ，……を使用するので資材は無尽蔵にある。基地系Ｕと若干異る事項としては、基本的には強度面である。このため基台Ｋ１の方は薄板の代りに厚板（板厚数ｍｍ）を骨格に固設すること、骨格を構成する枠材も強度を向上するため、大型構造のものが採用されればもっと良い。  製作体ブロックＫＢは、基台Ｋ１に対して全て同じ側に並べて連結され基板Ｋ１に固設される。そして、製作体ブロックＫＢの基台Ｋ１に関して反対側には、材料体Ｋ３によって連結される材料資源としての小惑星Ｋが、各々の製作系ＫＵについて１個づつ連結され、これらの小惑星Ｋ，Ｋ……は製作系集団ＫＷと共に同一の運行を行う。  またこの小惑星Ｋ，Ｋ……の各々に太陽の凝集された反射光が照射されるように、製作エネルギー体Ｋ２の凹面鏡Ｋ２１ａが、設けられている。2005170359.tif 000007されるために必要な全てのエネルギーを供給するための体である。ここではその一実施例として凹面鏡Ｋ２１ａや製作発電機Ｋ２１ｅを備えたエネルギ部Ｋ２１と、このエネルギー部Ｋ２１の各機械を駆動するエネルギー駆動部Ｋ２３と、エネルギー部Ｋ２１の駆動を制御するエネルギー制御部Ｋ２２と、エネルギー備蓄部Ｋ２４と、エネルギー補給部ｋ２５と、によって構成されている。  エネルギー部Ｋ２１は、その一実施例として、第  図及び第  図に示すように、相当に大型の凹面鏡Ｋ２１ａを有する。この凹面鏡Ｋ２１ａは傾角や位置を製作管制体ＫＤの制御によって自在に調整しうる支持腕Ｋ２２によって支持されている、また凹面鏡Ｋ２１ａの焦点を結ぶ位置の小惑星の星面には集光孔Ｋ２１ｄの位置が該当するべく移動するようこうせいされ小惑星Ｋの焦点近傍の表面から太陽の凝集光の熱が宇宙空間に放散されるのを防止する断熱性の蓄熱膜Ｋ２１ｃと、を具備している。凹面鏡Ｋ２１ａは、その焦点の凝集光を連続照射することによって、鉄やニッケルを主成分とする小惑星Ｋの星面に照射された凝集光近傍の鉱石が溶融状態になる程、直径が十分に大きい凹面鏡である。凹面鏡Ｋ２１ａは、研磨され鏡面仕上されたステンレスの小さい平面板を、多数個凹面鏡を構成するように貼付されたものでもよい。支特腕Ｋ２１ｂは、後記材料体Ｋ３によって自在に自動する小惑星Ｋの半球ずつのほぼ全体の場所に焦点を結び得るようその傾角や位置が変動可能なように構成されている。凹面鏡Ｋ２１ａは材料体Ｋ３の両半球側に１個づつ装備されているので、支持腕Ｋ２１ｂの変動と移動機Ｋ３１ｃの図動により、小惑星Ｋの略両半球の鉱石が採鉱される。この結果小惑星Ｋｈａ採鉱が続けられると最終的に円板状又は棒状の鉱石塊のみ残るようほぼ完全に採鉱されるよう構成されている。  製作エネルギー体Ｋ２には、各体を駆動するための強力な電力が必要であるから、エネルギ備蓄部Ｋ２４から供給される電力が当初使用され、次々に製作される基地系Ｕの表面に付設される発電体Ｆに照射される太陽の照射光によって発電される電力、その製作系ＫＵの各体を駆動するための重要なエネルギー源として活用される。しかし、一番最初の製作である基台Ｋ１の製作から大電力を必要とするので、当初からロケット内に強力な発電機を搭載した発電用ロケットが地球から打上げることも必要と考えられる。  核融合炉はすでに数十年も研究続行中であり、２１世紀には実用化段階に入るとの予測もある。この核融合炉が実用化され、さらにその炉の各部品が宇宙に運搬されて組立てられて運転することかできれば、当初から強力な電力や熱エネルギーを供給できる。上記の製作系ＫＵにとっても、凹面鏡Ｋ２１ａや発電体Ｆの付設等と併用し、あるいはこれらを一切不用にして、全てのエネルギーを供給できるため、はるかに製作には有利と考えられる。まず最初の製作系で複数の製作系を次々に製作し組立てて製作系集団ＫＷを構成したとしても、これらの電力を賄ない得る程のエネルギーを提供しうると推定される。本件の防護装置の製作系ＫＵの各体の開発や基地系Ｕ等の諸研究や実験や小惑星Ｋの探査や捕獲のために数１０年間を必要とするため、すでに研究の半ばにある、核融合炉が実用化に先に成功すれば、地球上のエネルギー供給に止らず、宇宙に於ける強大なエネルギーを供給できるために、本件の防護装置のみならず宇宙開発の全体に将来の展望は大きく開かれる。しかし、核融合炉がまだ実用化されていない現代の段��では、とりあえず他のエネルギーで賄ない得るように考慮しておく必要がある。他のエネルギーとしては上記のように凹面鏡Ｋ２１ａによる太陽光の凝集光熱や、基地系ブロックＵＵの多数の発電体Ｆによる太陽エネルギーにより発電された電力や、地球から打上げられる他の発電機を搭載した発電用ロケットに頼ることになる。2005170359.tif 000008行する小惑星Ｋが、その軌道を修正体（ロケット）によって軌道修正され、捕獲されて、各材料部Ｋ３１に連結され、その鉱石が材料資源として採鉱されるための装置である。▲５▼’  小惑星Ｋは全部で１０万個以上あるとみられるが、その大部分は火星と木星との間に集って小惑星帯を形成している。上記の特異軌道をとって運行する小惑星Ｋとは（大きな偏心軌道）をとって、地球と月との距離の数倍程の距離まで接近してくるものもある。このように地球への近接軌道をとる直径２００ｍ以上の小惑星は２万個にものぼるといわれている。  これらの小惑星Ｋは、分光観測によれば、これまでに知られている全ての小惑星Ｋのスペクトル型は既知の隕石の組成と一致している。つまり小惑星ｋと隕石とは起源が同じであり、隕石の組成を調べることによって小惑星Ｋの資源としての価値も推定できる。隕石には大別してコンドライト（太陽系の誕生時に形成されて以来、その組成が二次的な分化を受けず、もとのままの成分を保っているもの）と、エコンドライト（その組成が、二次的な分化を受けて金属成分が融解・分離して濃縮されたもの）と、がある。  コンドライト隕石（小惑星）には、ゲルマニウムやガリウムなどの半導体素材の含有量が非常に高いもの、人間が宇宙で居往する上で重要な価値をもつ水と炭素を多量に含んでいるものがある。エコンドライト隕石（小惑星）には、鉄隕石のように宇宙塵がいったん徴惑星として成長を始め、金属成分が融解・分離した後、衝突によって再び粉砕されてできたとみられ、非常に純度の高いニッケルと鉄とから成っているものがある。直径１００ｍ程度の小惑星ともいえない大型隕石１個の中に４００万トンの鉄とニッケルが含まれているといわれている。この鉄隕石では鉄約９５％、ニッケル約４％が含有されているため、後記の製練体Ｋ４の溶解機Ｋ４１ｂの遠心分離によって純鉄を製練するとも可能であり、また、合金生成機Ｋ４１ｃによって１８％のクロムと４％のニッケルを追加すれば１８−８ステンレス鋼が生成される。従って、製造体Ｋ５の製板機Ｋ５１ｂでは遮光板Ｅ１や反射板Ｇ１の製造が可能となる。小惑星Ｋは球体とは限らず地球上のいびつな種々の岩石のような形状をしているため、これを連結しその鉱石を採鉱し易いように低速度で指示された小角度のみ回動するためには、特殊な連結用の機械類を必要とする。  材料体Ｋ３は、小惑星Ｋを保持して連結する機械類や小惑星の表面の採鉱場所を順次移動する機械類とを備え材料部Ｋ３１と、この材料部Ｋ３１を駆動する材料駆動部Ｋ３３と、材料部Ｋ３１の駆動を制御する材料制御部Ｋ３２と、材料備蓄部Ｋ３４と、材料補給部Ｋ３５と、によって構成されている。材料部Ｋ３１は、小惑星Ｋの両横の頂点に形成された軸孔に回転軸が挿入されて保持され連結されるための一対の保持機Ｋ３１ａを有する。保持機Ｋ３１ａはできれば弾性を有し��かつ、小惑星Ｋの大きさに合わせて油圧等で伸縮するよう、例えば材料部Ｋ３１の両端面から、基台Ｋ１の側部の凹みから下方へ突出されている。保持機Ｋ３１ａ、Ｋ３１ａはその下端から回転軸を互いに内側へ突設しており、その基部端近傍は弾性機Ｋ３１ｂ，Ｋ３１ｂによって互いに内側に引寄せられている。基台Ｋ１の下面を貫通して材料部Ｋ３１の中には一対の移動機Ｋ３１ｃ、Ｋ３１ｃが付設されている、これらの移動機Ｋ３１ｃ、Ｋ３１ｃに巻取られた一対のワイヤＫ３１ｄ、Ｋ３１ｄは互いに反対方向に小惑星Ｋに巻付られ、ワイヤＫ３１ｄ、Ｋ３１ｄの先端は小惑星Ｋの表面に結合されている。小惑星Ｋが修正体（ロケット）によって軌道修正され、ワイヤＫ３１ｄ、Ｋ３１ｄを巻付て捕獲されると、極く低速度で製作系ＫＵに近接し、そのワイヤＫ３１ｄ，Ｋ３１ｄを移動機Ｋ３１ｃ，Ｋ３１ｃによって徐々に巻取る。保持機Ｋ３１ａ、Ｋ３１ａまで、到達する距離まで近接すると、それらの下端に取養された回転軸の先端に反結合された削岩軸によって小惑星Ｋの両側面の頂点に回転軸の嵌入孔が形成される。嵌入孔が形成されると小惑星Ｋは回転軸が嵌入され、この回転軸を支点にして、移動機Ｋ３１，Ｋ３１は材料制御部Ｋ３２により制御され回動及びワイヤＫ３１ｄ，Ｋ３１ｄの巻取，解除にによって採鉱位置を少しづつ順に移動するよう微少回転する。2005170359.tif 000009も凹面鏡Ｋ２１ａ，Ｋ２１ａの焦点の変動、及び小惑星Ｋの微少回動に伴って微少移動する。2005170359.tif 000010
2005170359.tif 000011  製練体Ｋ４は、製練するための種々の機械を備えた製練部Ｋ４１と、この製練部Ｋ４１の各機械を駆動する製練駆動部Ｋ４３と、製練部Ｋ４１の駆動を制御する製練制御部Ｋ４２と、によって構成されている。  製練部Ｋ４１は、材料資源である小惑星Ｋの鉱石を採鉱するための採鉱機Ｋ４１ａを有する。  採鉱機Ｋ４１ａは、凹面鏡Ｋ２１ａによる太陽の凝集光の熱によって、小惑星Ｋの鉱石が半溶融状態とされると、これを採鉱管によって吸み上げ自動的に必要な速さ・量程、溶解機Ｋ４１ｂの中に注入する。採鉱管は例えばその外周が断熱管で被覆され、その管内にはラセン翼を付設した軸が、減速機付のモータによって回動するよう構成される。採鉱管Ｋ２１ｃは蓄熱膜Ｋ２１ｃを貫通して集光孔Ｋ２１ｄの下方の半溶融状態の鉱石の中に差し込まれこのラセン翼の回動により半溶融状態の鉱石が吸み上げられ溶解機Ｋ４１ｂの中に注入される。  溶解機Ｋ４１ｂは、注入された半溶融状態の鉱石を完全な溶融状態にするために製作エネルギー体Ｋ２製練駆動部からの電力を変換する高熱の電熱棒を有し、比重の差異によって分類抽出するために端面壁窓閉の円筒状に形成されている。そして無重力状態の宇宙空間では溶解機Ｋ４１ｂの外周壁自体が定速で回転しその遠心力によって比重の大きい金属程外周壁に近い内側に分類され区分けされる。そして、溶解機Ｋ４１ｂの端面壁は外周壁の内面に習接しつつ回転せず、上孔の採鉱管や抽出管の一端が内部に挿入されている。この抽出管の他端は隣設された合金生成機Ｋ４１ｃの周壁から内部に挿入されている。『合金生成機Ｋ４１ｃは例えば端面壁を密閉した円筒状で内部には必要により溶融状態を高めるための電熱棒と、充分に撹拌するための撹拌翼が設けられている。これにより、合金を生成するために必要な新たな金属材料が投入され、完全な溶融状態の合金が撹拌される。充分に撹拌された合金は外周壁に設けられた2005170359.tif 000012この移送管から下記の製造体Ｋ５の製造部Ｋ５１に移送される。  なお、上記の電熱棒や製練や撹拌や抽出や移送に必要なエネルギーは前記の製作エネルギ体Ｋ２から送られた電力を製練駆動部Ｋ４３を介して供給される。そして製練部Ｋ４１の各機械や製練駆動部Ｋ４３の電力は製練制御部Ｋ５２によって制御される。2005170359.tif 000013基地系Ｕや反射基地系ＧＵを大量生産するために、その構成材料である枠材や、板材を半自動的に製造するための装置である。  製造体Ｋ５は、製枠機Ｋ５１ａや、製板機Ｋ５１ｂや、加工機Ｋ５１ｃ等を備えた製造部Ｋ５１を有する。製造部Ｋ５１の各機械は製造駆動部Ｋ５３によって駆動され、製造部Ｋ５１の各機械の駆動は製造制御部Ｋ５２によって制御される。製造制御部Ｋ５２には各機械を制御する端末機を搭載し、この端末機は製作管制体ＫＤの製作電子計算機ＫＤ２とネットワークを構成している。  製作電子計算機ＫＤ２は、地球管制体Ｘの大型電子計算機Ｘ２と連携しているので、この製造体Ｋ５も地球管制体Ｘの制御によって製造が進められる。  製枠機Ｋ５１では、連結枠Ｉ１・傾動枠Ｉ２・補強枠Ｉ３・中継枠４等の枠材が製造される。これらの枠材は長距離に形成されるためにできるだけ機械2005170359.tif 000014これらの断面形状の枠材が直接、金属材料か���製枠機Ｋ５１ａによって製枠されることが可能であればその製法によるべきである。しかし、製板機に2005170359.tif 000015合されることにより構成される。  これらの枠材は無重力の宇宙空間では板材が結合されることによる板材の重力による撓み、及び枠材自体の重力による撓みが無いので、地球上では想像し難い程、長距離の長さを有する枠材が、直線状に保持されると推定される。上記の各枠材は、各々の役目に応じて機械的強度が充分に保たれるよう設計された断面形状及び大きさのものが、採用される。  また、これらの枠材は宇宙空間では酸素が存在しないで錆ることがないため、ステンレス鋼で製造される必要がなく、鋼鉄で製造されても使用に耐えると推定される。  製板機Ｋ５１ｂでは、前記のように枠材が製枠される素となる板厚数ｍｍの厚板が製造され、また、遮光板Ｅ１や反射板Ｇ１等板厚１ｍｍ前後の薄板が製造される。遮光体Ｅや反射体Ｇは、耐熱性や耐候性や耐蝕性や製板性等種々の必要な条件を考慮に入れて材質が選定される。反射体Ｇはバフ研摩仕上によって鏡面に構成される必要があるので、例えば１８−８ステンレス鋼が採用される。遮光体Ｅも共通材料にする方が製造され易いので１８−８ステンレス鋼が採用されてもよい。  製板機Ｋ５１では、できるだけ幅広の遮光板Ｅ１や反射板Ｇ１等が製板されるが一台の製板機Ｋ５１で製板される板幅には限度がある。このため、複数枚の遮光板Ｅ１や反射板Ｇ１は隣接するものが互いにそれらの側縁一定の幅程づつ重ね合わされるように伸展され、その重ね合せ部が連続的に数箇所づつスポット溶接されて、必要な充分に幅広の遮光体Ｅや、反射体Ｇが構成される。多数の製板機Ｋ５１は上記のように側縁が一定の幅程、づつ重ね合わされるように少しづつずらせて配設される。  製板機Ｋ５１によって製造され組立される遮光体Ｅは、遮光の程度が最も適当となるよう多数の遮光孔Ｊ４が定間隔形成されてもよい。  基地系集団Ｗによって投影される太陽光陰影部Ｅｅの温度が最適に制御されるためには、後記の大間隙Ｊ１や、中間隙Ｊ２等の間隙の大きが調節されることによって充分に目的を達し得る場合は、小間隙Ｊ３は必要ない。しかし、大間隙Ｕ１や中間隙Ｕ２のみでは、太陽光陰影部Ｅｅの中でもそれらの間隙によって太陽光が照射される場所と、全く遮光される場所とで温度が均一とならない場合も考えられる。この場合は、太陽光陰影部Ｅｅが投影される場所を若干距離程移動させるか、または遮光体Ｅに多数の透光孔Ｊ４を形成し上記の大間隙Ｕ１，中間隙Ｕ２の程度を小さくして平均的な温度にすることが適当と考えられる。  加工機Ｋ５１ｃは、上記のことを考慮に入れて、遮光板Ｅ１が製造された直後に例えば円形の透孔孔Ｊ４を形成する場合等にあらかじめ設置する用意をしておく。2005170359.tif 000016の各機械は組立駆動部Ｋ６３によって駆動され、機械の駆動は組立制御部Ｋ６２によって制御される。組立制御部Ｋ６２には各機械を制御する端末機を搭載しこの端末機は製作管制体ＫＤの製作電子計算機ＫＤ２とネットワークを構成している。製作電子計算機ＫＤ２は地球管制体Ｘの大型電子計算機Ｘ２と連携しているので、この組立体Ｋ６も地球管制体Ｘの制御によって組立が進められる。  宇宙空間で広大な面積の基���系集団Ｗ、反射基地系集団ＧＷを製作されるためには、その構成要素であり、平面状の配列板の１つである基地系Ｕ、反射基地系ＧＵもできるだけ広い面積のものが、製作されることが望ましい。基地系Ｕ，反射基地系ＧＵは、長年月にわたって安定的に宇宙空間で運行されるものであるから、まず骨格が組立てられ、この骨格に多数枚の遮光板Ｅ１や反射板Ｇ１が貼付されるべきである。このための骨格は、トラス状に組み合せたものが骨格の基本材となれば良いが、トラス状の構造材は製作時間も労力も多くを要する。従って、骨格基本材が単に枠材だけで充分に機械的強度があり、うるように構成されるためには長距離のものでも無重力下で直線を保ちうる前記のような断面形状の枠材を複数直交させてその直交部を溶接結合して碁板目状に構成されたものが最適であると考えられる。  できるだけ広い面積の基地系Ｕ、反射基地系ＧＵを大量生産するためにには、多数基の製作系ＫＵを横方向に連結して構成される製作系集団ＫＷによって、一挙に基地系Ｕ、反射基地系Ｕが製作されるべき組立手段が採用される。第  図（ａ）は製作系集団の一実施例を示す平面図，第  図（ｂ）はその横側面図を示す。  この製作系集団ＫＷでは前記のように、製作体ブロックＫＢと、横製作体ブロックＫＢ′とは、互いに直角方向に向けて連結されており、基台Ｋ１に固設されている。以下、この製作系集団ＫＷによって基地系Ｕ及び反射基地系ＧＵが１基づつ半連続的に大量に製作される場合の骨格の組立，遮光体Ｅ及び反射体Ｇの組立を説明する。▲１▼基地系を製作する場合（ａ）まず、横製作体ブロックＫＢ′からは、横枠材（補強枠Ｉ３、中継枠Ｉ４等）が、数基の基地系Ｕの骨格の横枠を構成するのに必要な本数だけ、製造される。各横枠は長さが基地系Ｕの横幅程度必要であり、製造されたものは、横枠備蓄台Ｋ６０ａに備蓄される。基地系Ｕは相当大きい四角形であり、横枠材は長さが相当に長い枠材となる。従って横枠備蓄台Ｋ６０ａの両側には伸展レールＫ６０ｄ（図示せず）が設けられそれら横枠材の先端を仮結合し横枠材の製造を正しく誘導し補助するべく、製造と略同じ速度で横製作体ブロックＫＢ′から他方の横端へ走行する伸展機（図示せず）がその伸展レールＫ６０ｄを走行し横枠材を引張るよう装備される。なお、数基の基地系Ｕを構成するのに必要な横枠材の本数は相当数にのぼるため、横枠を充分に備蓄しうるよう製練体Ｋ４、製造体Ｋ５の上面にも厚板を敷設して同様の横枠備蓄台Ｋ６０ａとして併用されることもありうる。そして備蓄された横枠材は順に並べて横枠配備機Ｋ６０ｂの上へ配給される。横枠配備機Ｋ６０ｂはベルトコンベア状をなし、その外周面には定間隔に横枠材の１本１本を握持すべき配備具（図示せず）が付されている。2005170359.tif 000017一基の基地系Ｕを構成するのに必要な機械的強度を確保する本数だけ、全て定速で製造が開始される。2005170359.tif 000018Ｋ１１ａが設けられ、それら縦枠材の先端を仮結合し縦枠材の製造を正しく誘導し補助するべく、製造と略同じ速度で製作体ブロックＫＢの側から、基台Ｋ１の先端の方へ定行する伸展機Ｋ１１ｂがその伸展レールＫ１１ａを走行し縦枠材を引張るよう装備される。（ｃ）一列に並設された多数の製枠機Ｋ５１ａによって一斉に一定の速度で縦枠材が製造され始めると、その製造速度と同じ速度で横枠配備機Ｋ６０ｂも回動を開始し、配備具で握持した１本１本の横枠材を製造伸展中の縦枠材の上に定間隔で載置する動作を繰返し続ける。縦枠材の最先端と最後端には中継枠Ｉ４が載置され、それらの中間には全て補強枠Ｉ３が定間隔に載置される。そして、各々の縦枠材と横枠材との直交部が、横枠固着機Ｋ６０ｃの下方に達した時点で、縦枠材の数量程横１列に配置されたスポット溶接具（  ）によって、両枠材の直交部が瞬間的に複数点スポット溶接される。スポット溶接は１点のみでも数トンの固着力があるが続けて瞬時に複数点のスポット溶接が実施される。補強枠Ｉ３も定間隔に全ての縦枠材にそれらの直交部がスポット溶接される。これによって、最先端と最後端とに一対の中継枠Ｉ４Ｉ４，両側端に一対の連結枠Ｉ１，Ｉ１、が各々固着されて包囲され、中間部は全て補強枠Ｉ３同士が定間隔固着された相当に大型の四角形（正方形でも可）で碁板目状に形成された基地系Ｕの骨格が製作される。（ｄ）基地系Ｕの骨格が製作されると、次に、この骨格に組立レールＫ６１ｅと、遮光体Ｅが結合される。基地レールＫ６１ｄは、後に板材結合機Ｋ６１ａや、発電体付設機Ｋ６１ｂが装備されて走行し、それらによって遮光板Ｅ１の骨格への結合や、遮光体Ｅの表面への光発電板Ｆ１や集電板Ｆ４の付設が行われる目的で結合される。従って、基地レールＫ６１ｄはこれらの機械が装備されるために最も都合が良い適当な間隔（例えば製作系ＫＵの基台Ｋ１の幅）で骨格に結合される。（ｅ）他方、多数枚の遮光板Ｅ１は、この基地レールＫ６１ｄと基地レールＫ６１ｄとの間の骨格の上に、前記のように隣接する側縁を一定幅程重ねられた状態で伸展される。遮光板Ｅ１の伸展が完了すると基地レールＫ６１ａ１を走行する板材結合機Ｋ６１ａのスポット溶接でその重ねられた側縁が結合されて台Ｋと同幅の遮光体Ｅが構成される。この遮光体自体も板材結合機Ｋ６１ａのスポット溶接で骨格（の横補強枠Ｉ３）に結合され一体化される。ここで遮光体Ｅ１は製板機Ｋ５１ｂで製造された板幅の帯状板のものを示し、遮光体Ｅは遮光板Ｅ１の側縁が順に結合されて１基の製作系の基台Ｋ１と略同じ板幅の帯状板のものを示す。（ｆ）次に、前記の基地レールＫ６１ｄのうち隣に位置するものに発電体付設機Ｋ６１ｃがその両端の脚部をレールに外れないよう係合しかつ走行しうるよう装備される。発電体付設機Ｋ６１ｃは隣に位置する基地レールＫ６１ａの間に結合された帯板状の遮光体Ｅの数程装備される。そして、基地レールＫ６１ｄは第  図に示す基地系集団Ｗの縦方向（運行方向）の隣に位置する次々の基地系Ｕの基地レールＫ６１ｄに次々に移動して装備され橋渡しされるよう構成されている。（ｇ）さらに、骨格の縦方向の先端と後端とに結合された一対の中継枠Ｉ４、Ｉ４の各々の両端に、１個づつ（従って計４個）の推進体Ｃ及び配列検知体Ａが付設される。推進体Ｃの噴射部Ｃ１は推進制御部Ｃ２の制御で指示された方向に噴射されるよう構成され、噴射部Ｃ１に連結された燃料備蓄部Ｃ３は燃料の補給を行い易い構造（例えばカプセル状）が採用されている。配列検知体Ａは多数の基地系が平面状に配列され��ために平面検知機Ａ１，配列端末機Ａ２、補正指示機Ａ３を具備し、推進体Ｃの推進制御部Ｃ２に連携されている。  以上の組立を完了した段階で、基地系Ｕは完成直前まで組立されたことになる。この段階で、基地系Ｕは四角形の四隅の中継枠Ｉ４の端部に推進体Ｃを装備しているので、宇宙空間に於て自らの運行方向への推進・後退・上下への移動・左右への移動・姿勢制御が可能なことになる。遮光体Ｅの表面にはまだ発電体Ｆが付設されていないので、太陽光による発電はできないが、推進体Ｃの制御に必要な電力は、製作系ＫＵから有線で送電する。2005170359.tif 000019遮光体Ｅの表面への発電体Ｆの付設（組立の最終段階）には、遮光体Ｅと同じ数程装備しても相当の時間を要すると推定される。遮光体Ｅの長さ、従って基地系Ｕの縦長さは、基地系Ｕが正方形に近いと仮定しても相当の長距離の長さになること、及び、遮光体Ｅの表面への発電体Ｆの付設するスピードは限界があること、がその理由である。従って、前記の基地系Ｕは製作系ＫＵの近傍に付随して運行しつつ製作系ＫＵでは新たな２基目の製作に着手する一方、前記の基地系Ｕには必要な時間を充分かけて発電体Ｆを付設する手段を採用するべきである。基地レールＫ６１ｄは、基地系Ｕの遮光体Ｅを挟んで複数条設けた理由は、上記のように発電体Ｆを新たに付設すること、年月が経過して発電体Ｆが部分的に故障する場合にその保案・点検に備えること、さらに長年月が経過して発電体Ｆを更新するのに備えること、以上のためである。▲２▼反射基地系を製作する場合（ａ）  反射基地系ＧＵは太陽光を反射体Ｇで反射して、太陽光反射部Ｇｇを地球の特定地域に数日連続して照射し暖気を構成して特定地域及びその周辺の気候を制御する場合がある。また、特定地域が乾燥地域Ｒであればそれに隣接した水湿域Ｑへ太陽光反射部Ｇｇを数日連続して照射し降雨促進する場合及び寒冷地や冬期の豪雪地方であれば太陽光反射部Ｇｇを数日連続して照射し寒冷緩和や豪雪緩和を行う場合がある。これらの場合、地球は自転しているため、反射体Ｇの傾斜角を時々刻々若干角度ずつ変動する必要がある。基地系Ｕと反射基地系ＧＵは略同じ大きさの四角形（または正方形）に構成され、大略の形状は似たものが採用されてもよい。しかし、基地系Ｕの遮光体Ｅが全て骨組に一体的に結合されている構造と異り、反射体Ｇは骨組に対して、傾斜角を変動しうる構造、管制体Ｄの電子計算機Ｄ２の制御で傾斜角を自在に設定できる構造、が採用されなければならない。（ｂ）  このため、製作系ＫＵの組立体Ｋ６に於ては、縦枠材及び横枠材による骨格は下記のように組立てられる。反射基地系ＧＵの縦枠材は、例えば、製作系ＫＵの基台Ｋ１の幅で複数本の連結枠Ｉ１が、縦（運行）方向に筋状に伸展される。そして、この連結枠Ｉ１の両側部に隣接して、傾動枠Ｉ２，Ｉ２が同じく縦方向に伸展される。この傾動枠Ｉ２，Ｉ２で挟まれる空間に縦の複数本の補強枠Ｉ３が一定間隔で伸展されこれが、反射体Ｇの横幅となる。他方、横枠材は、例えば、反射体Ｇの長さに相当する間隔で、横の傾動枠Ｉ２，Ｉ２が、複数対、伸展される。この横の傾動枠Ｉ２，Ｉ２で挟まれる空間に横の複数本の補強枠Ｉ３が一定間隔で伸展され、これが反射体Ｇの縦幅とな���。これらの縦枠材，横枠材がスポット溶接で結合され骨格が形成される※（ｃ）（ｄ）この反射体Ｇに相当する四角形の略中間の位置に相当する縦の傾動枠Ｉ２，Ｉ２と、これらに隣接する連結枠Ｉ１，Ｉ１とが回転軸によって連結される。回転軸はベアリングを組み込んだもので滑らかに回動し、かつ反射体Ｇの傾動や傾斜角度設定の繰返しに充分に耐える強度を備2005170359.tif 000020
2005170359.tif 000021反射体Ｇの縦の傾動枠Ｉ２，Ｉ２と隣接する連結枠Ｉ１、及び横の傾動枠Ｉ２，Ｉ２と隣接する補強枠Ｉ３，Ｉ３、を各々接続している縦枠材及び横枠材及び隣接する四角形の傾動枠Ｉ２と傾動枠Ｉ２とに結合された反射体Ｇ１が全て切断される。切断は板材結合機Ｋ６１ａに装備された自動切断機（ロボット）によって、製作電子計算機ＫＤ２の指示通り行われる。これによって、四角形の反射体Ｇの内部、は補強枠Ｉ３が、碁板目状に結合され、反射体Ｇ自体は強度の充分にある回転軸によって連結枠Ｉ１，Ｉ１に連結された反射体Ｇが組立てられる。2005170359.tif 000022  製作本体ＫＶと製作推進体ＫＣは、製作系集団ＫＷの全体を電子計算機あるいは責任者や地球からの指令で制御し、かつ製作系集団ＫＷが種々の天体の引力の影響を計算しつつ所定の軌道を正しく運行するための司令塔及び推進室の役目をする部署である。製作系本体ＫＶは主に製作管制体ＫＤと居住室ＫＶ３とを有し製作管制体ＫＤには製作電子計算機ＫＤ２を搭載している。製機ＫＤ２は、上記の各体の各機械を制御する各制御部に搭載され端末機とネットワークを構成しデーターや情報を高能率で収集し、制御指令を伝達して直接的な制御を行う、製機ＫＤ２はまた、地体Ｘの大機Ｘ２と連結しその蓄積された過去のデータや知識や他かの情報と併せて処理し各体の各機械を制御する。  製作系集団ＫＷでは数十基の製作系から成るが、このような電子計算機のネットワークされた制御で能率的に（半）自動的に製造される。これは、前記のように直角に連結された製作体ブロックＫＢと横製作体ブロックＫＢ′によって直交するように製造され次第伸縮される各枠による骨格の組立、板材組立機等組立用の各機械類と併せて電子計算機による高能率で迅速な基地系Ｕや、反射基地系ＧＵの大量生産を可能にする。これにより大型で、大量生産にも拘わらず、駐在員は最小限の人数で可能となる。『居住室は一ヵ所に集中して構成され宇宙線による身体の健康への影響が極力少いように、太陽風の吹く太陽側の方向に、強力な電磁力による宇宙線変数機ＫＶ４が構成されている。居住室ＫＶは製作系集団ＫＷの裏回動する遠心力で重力を駐在員に付加するよう構成されている。重力負荷機はこれが無理である場合は、半年毎に地球からの交替の駐在員によって製作が管理される。なお、製機ＫＤ２は、近遠の各天体の引力が、製作系集団や連結している小惑星Ｋの影響を常に計算している。製作推定体は、小惑星Ｋの質量が大きいので、補助推進体ＫＣＣの協力も得て、前記2005170359.tif 000023必要に応じて必要な噴出を実行し、長期間安定した製作が可能なように配慮される。2005170359.tif 000024上記のように構成された製作系集団ＫＷは、本件防護装置の基地系Ｕ，反射基地系ＧＵを大量生産するに最適なように構成されている。この製作系集団ＫＷは、中未来に於て、スペースコローニを製作する場合、または、例えば大きな推力，比推力を有するロケットが実用化された場合に、そのロケットの本体であるロケット外殻体を製作しうる。これ巨大な恒星宇宙ロケットを製作する宇宙工場としても活用できる。［発明の効果］本発明は上記したように構成されているので下記の効果を挙げることができる。（１）  製作系（集団）は、材料��給装置、加工装置、伸展装置（組立装置）が、（隣接）し連設して構成されているので鉄材料を連続して供給でき、多数個の帯鋼板・補強枠を連続して製造でき、それらを連続溶接して基地板を連続的に伸展できる。また製作系は、伸展中に自動切断される略短形の基地板伸展装置に連設して構成された組立装置に自動的に移設され組立部材を自動組立して基地系を構成し宇宙空間に巣立飛行できる。製作系は材料供給から基地系を製作する全工程を休止する必要がなく一貫して連続的に実行できるので、極めて効率がよく多数個の製作系を製作できる。このような製作系を必要個数程配備すれば極めて多数個の基地系によって構成される基地系集団は必要とされる年月内に供給できる。従って、製作系（集団）は防護装置（特許２９０６１６５号）に掲載された発明の目的、効果を将来は大略達成できる見通しがつき地球の中・遠未来の諸危機に対して防護を図る一手段を提供できると推定される。鉄隕石等の材料の調達を全自動で連続的に実施して材料の供給量を調節でき、製作系ネットワークによって、製作系の各装置を全自動で運転でき材料の調達〜消耗を全自動で調節できる。これら両ネットワークは地球ネットワークの大型電子計算機に連携されているので製作系（集団）による製作系の供給量を基地系集団の運行と併せて全自動で調節でき、また必要によって手動に切り換えることもできる。（２）材供装置は、材料である鉄隕石の移設を効率的に行える。（３）材供装置は、融解機によって宇宙空間の強烈な太陽光熱が太陽光を略凹面鏡状の凝集鏡で凝集されて融解できるから融解のための大電力の発電装置を必要とせず極めて効率的で経済的である。（４）製作系は略筒状のかくはん機・分配機の太陽光の陰に相当する陰外周面に長凝集鏡によって自然の太陽光の長凝集熱を照射できるので大電力の発電装置を必要とせず極めて効率よく、経済的である。2005170359.tif 000025隣接する帯鋼板の両側縁に一定の重合幅が溶接用に重ね合って伸展する必要がある。このために製板機は基地板の表側・裏側に交互に相対向して配備される加工装置を具備することによって帯鋼板の両側円に一定の重合幅が形成されることが可能になる。（６）製作系は、縦枠機と横枠機とを具備しているので肉薄の帯鋼板に補強用の縦枠と横枠とを配備して溶接でき基地系集団の運行に耐え得る強度の基地系（基地板）を製作することができる。縦枠と横枠とは製板機による帯鋼板の製板の連度に合せて製枠できるので補強された基地板を効率よく製作できる。（７）製作系の加工装置は、多数個の製板機が製板外子の内部に製板ロールを装備して地球から打上げが可能になるので、宇宙空間では連設枠に連設する作業のみで良い。従って、加工装置は組立が極めて能率よく経済的にできる。（８）製作系の伸展装置・組立装置は製板機・縦枠機・横枠機によって、適度に相当な厚さに製作された相当な強度の略基地板状に製作される。従って製作系の建設が、基地板を製作する各機を併用して実用できるので、極めて効率的であり、かつ経済的である。（９）組立装置は、多数個の推進体・連接体を規則正しく収容し、それらを自動組立する。推進組立機・連設組立機を収容した組立外凾が地球から打上げられる。打上げられ、または組立���尽した空の組立外凾は着脱機によって全自動で組立台に着脱されるので、組立部材は極めて効率よく省力化して全自動で連続的な組立が可能になる。（１０）組立装置は、2005170359.tif 000026補強枠をレールとして自動移動するよう自動組立されるので、極めて効率よく経済的に反射基地系を製作することができる。また多数個の研摩機を規則正しく収容し、研摩組立機を装備した組立外凾は地球からロケットで打上げられ着脱機によって組立台の適所に自動的に交換して着脱できるので研摩機は、極めて効率よく全自動で連続的な組立が可能になる。（１１）製作系は、運搬段階と、供給段階と、加工段階と、伸展段階と、組立段階と、を含む製作方法によって、連続的に全自動で（必要により一時手動切換も可能）製作されるので、極めて効率よく省力的に製作される。地球に太陽光陰影部を投影する基地系集団は極めて多数個の基地系によって構成され、それによって諸機能を達成する可能性があると推定されるが、上記の製作方法によってこの可能性が未来に於て開かれると推定される。上記の各段階は運搬ネットワーク・製作ネットワーク・地球ネットワーク等の総合的に連携された電子計算機群による自動制御によって連続的な全自動の製作が可能となり、基地ネットワークによる基地系集団の運行と併せて総合的なシステムが構成される。（１２）製作系は、反射製作段階と、投影段階と、照射段階と、を含む使用方法によって基地系ブロックや基地系集団として機能する間に反射基地系を全自動で製作できるので極めて効率的・省力的である。基地系集団は極めて多数個の基地系を必要とするが反射基地系を製作中・製作後のものを含むことによってはるかに効率的に運用できる。反射基地系はブロックとして地球の寒冷地や地球の寒期や火星等に有効的に機能することもでき、不必要時は地球に太陽光陰影部を投影する基地系集団の一構成部材として機能できると推定される。
【図面の簡単な説明】
【図１】２０世紀の人類の活動による地球環境等の課題と２１世紀の予測を示す図、
【図２】代表的な地球規模の課題と世界人口が原因する諸種の因果関係を示す図、
【図３】本発明防護装置の製造装置の一実施例で制御のネットワークを示す図、
【図４】本発明防護装置の製造装置の一実施例で運搬装置を示す図、
【図５】本発明防護装置の製造装置の一実施例で製作系を示す側面図、
【図６】本発明防護装置の製造装置の一実施例で製作系の一部を示す平面図、
【図７】本発明防護装置の製造装置の一実施例で製作系を示す側面図、
【図８】本発明防護装置の製造装置の一実施例で構成材の１部を示す図、
【図９】本発明防護装置の製造装置の一実施例で構成材の打上ロケットを示す図、
【図１０】本発明防護装置の製造装置の一実施例で防護装置の使用状態を示す図である。
【符号の説明】
【図１】
2005170359.tif 000027
【図２】
2005170359.tif 000028
【図３】
2005170359.tif 000029
【図４】
2005170359.tif 000030
【図５】
2005170359.tif 000031
【図６】
2005170359.tif 000032
【図７】
2005170359.tif 000033
【図８】
2005170359.tif 000034
【図９】
2005170359.tif 000035
【図１０】
2005170359.tif 000036